(57)【要約】【課題】除菌モードの選択状況を容易に把握できるようにする。【解決手段】複数の運転モードの実行は、リモコンパネルに設けられた操作ボタンによって行う。イオン発生手段用の操作ボタンを他の操作ボタンとは別に独立して設ける。独立させることで、イオン発生手段を稼働させてイオン発生を行うかどうかの操作が明確となる。イオン発生手段の稼働が選択された場合でも、特定の運転モードあるいは特定の条件が選択されたときには、イオンを発生させない。暖房モードや乾燥モードがそれである。温風によってイオンが壊れるからである。【選択図】        図１３
2007101164.tif 000002
【特許請求の範囲】
【請求項１】
室内に空気を吹出す送風手段と、
上記室内に吹出す空気を加熱する加熱手段と、
正イオンと負イオンを発生するイオン発生手段と、
上記イオン発生手段、送風手段および加熱手段を制御する制御部と、
リモコンパネル上に設けられた、上記送風手段および加熱手段を組み合わせて実行する運転モード操作手段と上記イオン発生手段に対する操作手段とを有し、
上記イオン発生操作手段と運転モード操作手段の各オンオフ信号が上記制御部に供給されるようになされた
ことを特徴とする空調装置。
【請求項２】
上記運転モード操作手段により特定の運転モードが選択されたときには、上記イオン発生手段の稼働を禁止する
ことを特徴とする請求項１記載の空調装置。
【請求項３】
上記特定の運転モードは、上記加熱手段と送風手段を用いて室内に温風を吹出す暖房モードである
ことを特徴とする請求項１記載の空調装置。
【請求項４】
特定の条件下での稼働状態であるときは、上記イオン発生手段の稼働を禁止する
ことを特徴とする請求項１記載の空調装置。
【請求項５】
上記特定の条件とは、上記加熱手段の稼働時である
ことを特徴とする請求項４記載の空調装置。
【請求項６】
正イオンおよび負イオンを発生するイオン発生手段に対する操作手段と、
送風手段および加熱手段を組み合わせて空調運転を実行する運転モード操作手段とを備えた
ことを特徴とする空調装置用リモコン装置。
【請求項７】
上記イオン発生手段に対する上記操作手段と、上記運転モード実行用の上記操作手段は、何れもリモコンパネル上に設けられた
ことを特徴とする請求項６記載の空調装置用リモコン装置。
【発明の詳細な説明】
【技術分野】
【０００１】
本発明は、室内の換気を行う換気装置に適用して好適な空調装置および空調装置用リモコン装置に関する。詳しくは、イオン発生手段に対する操作手段を設けると共に、特定の運転モードか特定の条件下ではイオン発生手段の稼働を禁止するようにして、操作の確認を容易に行えるようにすると共に、発生したイオン（正イオンおよび負イオン）を効果的に利用できるようにしたものである。
【背景技術】
【０００２】
空調装置として、室内や浴室内に設置された換気装置などが知られている。特に浴室内に設置される浴室空調装置は、高温多湿な空間であり、入浴後換気を行ってもしばらくは湿気が残るため、浴室内のタイルや天井にカビなどの浮遊菌が繁殖して浴室内が不衛生になりやすい。
【０００３】
また、浴室空調装置には浴室内で洗濯物などを乾燥させる運転モード（乾燥モード）が設けられている。洗濯物の乾燥が終わったときには、洗濯物は浴室から取り出されるが、洗濯物の乾燥が終了する前に外出するような場合には、洗濯物は浴室内に放置されたままとなっている。
【０００４】
乾燥モードが稼働中であるときは、浴室内に温風が吹き付けられているので、内部の湿度は低く、カビなどの繁殖は抑えられた状態となっている。しかし乾燥モードが終了すると、浴室内の湿度は次第に元の状態（乾燥運転前の状態）に戻るため、カビが繁殖しやすい環境となる。
【０００５】
そこで、カビなどの浮遊菌を除去するための正イオンおよび負イオンを発生するイオン発生手段を備えた空調装置が提案されている（特許文献１〜特許文献３）。
【０００６】
【特許文献１】特開２００４−２１１９５９号公報
【特許文献２】特開２００４−２１１９６１号公報
【特許文献３】特開２００４−２１１９６３号公報
【発明の開示】
【発明が解決しようとする課題】
【０００７】
このように従来の空調装置にあって、イオン発生装置が備えられたものでは、空調装置の各種運転モードに関連してイオン発生装置を駆動できるようにしてあるので、どの運転モードがイオン発生に関連しているのかを簡単には把握できない。また、単純に運転モードを選択しただけではイオン発生装置を駆動できない場合があるため、イオン発生モードを同時に選択するためのリモコン操作に煩わしさがある。
【０００８】
そこでこの発明はこのような問題を解決するためになされたもので、イオン発生モードの選択を簡便にすると共に、モードの選択操作の把握を容易にした空調装置等を提案するものである。
【課題を解決するための手段】
【０００９】
上述した課題を解決するため、この発明に係る空調装置は、室内に空気を吹出す送風手段と、
上記室内に吹出す空気を加熱する加熱手段と、
正イオンと負イオンを発生するイオン発生手段と、
上記イオン発生手段、送風手段および加熱手段を制御する制御部と、
リモコンパネル上に設けられた、上記送風手段および加熱手段を組み合わせて実行する運転モード操作手段と上記イオン発生手段に対する操作手段とを有し、
上記イオン発生操作手段と運転モード操作手段の各オンオフ信号が上記制御部に供給されるようになされたことを特徴とする。
【００１０】
またこの発明に係る空調装置用リモコン装置は、正イオンおよび負イオンを発生するイオン発生手段に対する操作手段と、
送風手段および加熱手段を組み合わせて空調運転を実行する運転モード操作手段とを備えたことを特徴とする。
【００１１】
この発明に係る空調装置は浴室空調装置に適用できる。したがってこの発明に係る空調装置用リモコン装置はこの浴室用空調装置に適用できる。空調装置には複数の運転モードを実行できるようにするため、最小限の実行手段が設けられる。換気風や室内循環風のための換気手段（送風手段）と、暖房や乾燥を行うため空気を加熱するための加熱手段などが設けられる。正イオンおよび負イオンを発生させるためのイオン発生装置（イオン発生手段）を備える。
【００１２】
複数の運転モードの実行は、リモコンパネル（操作パネル）に設けられた操作手段（運転モード実行用操作ボタン）を操作することによって行われる。この操作手段として、イオン発生手段用の操作手段を他の操作手段とは別に独立して設ける。イオン発生手段用としての操作手段を独立させたのは、イオン発生手段を稼働させてイオン発生を行うかどうかの操作を明確に認識できるようにするためである。
【００１３】
イオン発生手段の稼働が選択された場合でも、特定の運転モードあるいは特定の条件が選択されたときには、イオンを発生させてもその効果が充分発揮されない場合がある。暖房モードがそれであり、乾燥モードがそれである。何れの場合にも暖房風あるいは熱せられた乾燥風によってイオンが壊れるからである。
【００１４】
暖房モードでは、送風手段と加熱手段とを同時に稼働する。暖房モードが選択されたときは、イオン発生手段の稼働を禁止する。イオン発生手段を稼働させて除菌モードにするには、再度対応する操作ボタンを操作すればよい。
【００１５】
乾燥モードでも送風手段と加熱手段とが同時に稼働されるが、乾燥モードの場合には室内を循環する循環風の一部が排気される運転モードである。乾燥モードの場合には、乾燥モードが終了した段階あるいはその直前の段階から、イオン発生手段を稼働させても特に問題はないので、乾燥モードの段階で、イオン発生手段の稼働の禁止と解除が行われる。
【００１６】
リモコン装置のリモコンパネルにはイオン発生手段用の操作手段（操作ボタン）と、その他の運転モードを実行するための操作手段がそれぞれ設けられる。それぞれの操作手段に関連して表示手段（ランプやＬＥＤなど）が設けられる。
【００１７】
表示手段の点灯、消灯によって操作状況の把握が一層容易になる。イオン発生用の操作ボタンが操作された状態で、暖房モードや乾燥モードなどが選択されたときは、イオン発生用の操作ボタンに対する表示手段を強制的に消灯する。点灯しているのを消すことで、イオン発生モードと運転モードの組み合わせが妥当でなかったことを視覚的に認識させることができる。
【発明の効果】
【００１８】
この発明では、イオン発生用の操作手段を、他の運転モード選択用の操作手段に対して独立させたので、イオンを発生させるか否かの操作が明確となると共に、イオンを発生させるにはイオン発生用操作手段を操作しなければならないので、イオン発生モードに切り替える際のリモコン操作の煩わしさを一掃できる。
【００１９】
またこの発明では、リモコンパネル面にイオン発生用の操作手段と、他の運転モード選択用の操作手段をそれぞれ独立して設けたので、イオン発生のための操作が明確に認識できるなどの特徴を有する。
【発明を実施するための最良の形態】
【００２０】
以下、図面を参照して本発明の空調装置および空調装置用リモコン装置を、何れも浴室空調装置に適用した場合について説明する。
【００２１】
図１はこの発明を何れも適用できる浴室空調装置１の設置例であって、洗面所３１に隣接した浴室３２に浴室空調装置１が設置された状態を示す。浴室空調装置１は浴室３２の天井に設置される。浴室３２の天井パネルには、浴室空調装置１の下部側が入る開口部が形成され、浴室空調装置１は装置下部側の取り付けられたフロントパネル５が露出するように取り付けられる。実際には、天井裏から吊り下げて取り付けるか、天井パネルに固定した状態で取り付けられる。
【００２２】
浴室空調装置１に設けられた他室排気ダクト接続部３３には他室排気ダクト３４が接続される。他室排気ダクト３４の先端部は、洗面所３１の天井に設けられた洗面所排気吸込口３５となされる。
【００２３】
浴室空調装置１に設けられた排気ダクト接続部３６には排気ダクト３７が接続される。排気ダクト３７の先端部は、図示しない建物の外壁に取り付けた排気グリル３８に接続される。この構成によって、浴室空調装置１で吸込んだ浴室３２内の空気および他室排気ダクト３４通じて吸込んだ、この例では洗面所３１内の空気を、排気ダクト３７を介して建物外に排気することができる。
【００２４】
浴室空調装置１は、洗濯物等を乾燥させる乾燥機能を有するので、浴室３２には洗濯物等を掛けるランドリパイプ３９を備える。ランドリパイプ３９に吊り下げられた洗濯物に浴室空調装置１からの吹出す空気が当たるように、空気の吹出し方向が設定されている。浴槽３２ａ外の洗い場３２ｂに居る入浴者に吹出された空気が直接当たると、寒さを感じることがあるが、吹出し方向をランドリパイプ３９側に設定することで、入浴者への直接的な吹出しを回避できる。なお、この吹出し方向の調整は自在である。
【００２５】
浴室３２の入口に設置された浴室ドア４０にはその下部などに空気取入口（ガラリ）４０ａを備えており、洗面所３１等の空気を浴室３２内に取り込めるようになっている。
【００２６】
図１では設置されている浴室空調装置１には他室排気ダクト接続部３３（他室排気吸込口２ｃ）が１つしかないようになっているが、実際には、その他にトイレからの他室排気ダクト接続部が設けられ、洗面所３１からの排気だけではなく、トイレからの排気も可能なように構成されている。
【００２７】
もちろん、洗面所３１と浴室３２からの排気処理機構のみの浴室空調装置でも、この発明を適用できるし、他室排気吸込口を複数設け、複数の他室からの排気を吸込み、吸込んだ空気を他室排気ダクト３４から排気する構成としても、さらには他室排気吸込口を設けず、他室からの排気の吸込みを行わない構成としてもよい。
【００２８】
図２はこの発明を浴室空調装置に適用したときの一例を示す要部を分解した概観図である。図３は図２構成のうち要部のＡ−Ａ断面を示し、図４は同じく図２構成のうち要部のＢ−Ｂ断面を示す。また、図３および図４においては説明のため、一部の透視した状態を破線で示す。
【００２９】
図２〜図４に示すように、この浴室空調装置１は本体ケース２、換気ユニット３、循環ユニット４およびフロントパネル５を備える。本体ケース２は、図２のように所定の高さを有し、下部が開放された四角形状のケースである。図３および図４に示すように、換気ユニット３が循環ユニット４の上部に位置するように、換気ユニット３と循環ユニット４とが本体ケース２の内部に直接取り付けられる。ここに、換気ユニット３は本体ケース２に対して着脱自在に装着され、循環ユニット４は本体ケース２と換気ユニット３に対してそれぞれ着脱自在に装着される構成となっている。
【００３０】
図３に示すように、本体ケース２の下部開放部側にはフランジ２ａが設けられ、このフランジ２ａを用いてフロントパネル５が装着固定される。本体ケース２の側面には、屋外への排気のための排気口２ｂと、浴室以外の洗面所等から空気を吸込むための他室排気吸込口２ｃを備える。本体ケース２は不燃材が使用される。この例は製造性やコスト等を考慮して鉄材によって構成される。
【００３１】
換気ユニット３は、図３および図４に示すように換気ファンユニット６、換気用吸込部Ａ７ａおよび回路基板部８を有する。換気ファンユニット６は、多翼の換気ファン９と、この換気ファン９を回転駆動する換気ファンモータ１０で構成され、さらに風路を形成する換気ファンケース１１を有する。したがって、換気ファン９、換気ファンモータ１０および換気ファンケース１１とで換気手段が構成される。
【００３２】
換気ファンケース１１は、換気ファン９の軸方向に沿って換気ファン吸込口９ａが形成され、換気ファン吸込口９ａが上面を向いた状態で、換気ファン９が本体ケース２に取り付けられる。換気ファンケース１１は本体ケース２との間で、所定の高さＬを保持するように本体ケース２に取り付け固定される。所定の風路を確保するためである。
【００３３】
また、換気ファンケース１１の吹出し方向に形成された開口部が本体ケース２の排気口２ｂとなる。これによって、換気ファンケース１１の内部と、本体ケース２の排気口２ｂが連通した排気風路１２が形成される。
【００３４】
図４に示すように換気用吸込部Ａ７ａは、上面および下面がそれぞれ開放された筒状の部材により形成され、所定の高さＬを保持した状態で換気ファンケース１１の側部に取り付けられる。換気用吸込部Ａ７ａの下端面には、循環ユニット４に備えられた換気用吸込部Ｂ７ｂが接続される。換気用吸込部Ｂ７ｂも両端開放の筒状体であって、換気用吸込部Ａ７ａの内空間と連通された状態となる。この内空間は換気用吸込風路１３の一部となる。
【００３５】
また、脱衣所、トイレ等の他室の空気を吸込む本体ケース２の他室排気吸込口２ｃと、本体ケース２内部の換気ファンユニット６上部の空間によって他室排気吸込風路１４が形成される。
【００３６】
図３に示すように換気ファンユニット６の側部は回路基板部８となされる。回路基板部８には、浴室空調装置１の制御を行うための回路基板などが収納される。
【００３７】
図３および図４に示すように、循環ユニット４は循環ファンユニット１５、加熱手段としてのヒータ１６、吹出部１７、換気用吸込部Ｂ７ｂおよびシャッタ２６用の駆動室（電動室であって、図示はしない）とで構成される。
【００３８】
循環ファンユニット１５は、多翼の循環ファン１９と、循環ファン１９を回転駆動する循環ファンモータ２０を備える。また、循環ファンユニット１５は、風路を形成するための循環ファンケース２１を有し、その内部所定位置には循環ファン１９と循環ファンモータ２０が取り付け固定されている。図３に示す実施例では、循環ファン１９は給気ファンとして機能し、循環ファンモータ２０は給気ファンモータとして機能する。したがって、循環ファンケース２１は給気ファンケースとして機能するので、これら循環ファン１９、循環ファンモータ２０および循環ファンケース２１によって給気手段が構成されたことになる。
【００３９】
循環ファンケース２１は、循環ファン１９の軸方向に沿って循環用吸込口２２が形成され、循環用吸込口２２が下面を向いた状態で、本体ケース２に取り付けられる。循環ファンケース２１の側面の開口部には、吹出部１７が取り付けられる。吹出部１７は、吸込側と吹出側の二箇所の開口部を備えた内部が空洞の筒状体である。吸込側の開口部は循環ファンケース２１に取り付けられ、吹出側の開口部は下面を向いた状態になっている。この吹出部１７の下面を向いた開口部が吹出口２３となる。吹出部１７の内部を通じて、吹出口２３と循環ファンケース２１の内部が連通するので、この連通部分が循環風路２４として機能する。
【００４０】
循環風路２４を形成する吹出部１７の内部にはヒータ１６が固定されている。ヒータ１６としては、図示するようにＰＴＣ（Positive Temperature Coefficient）ヒータを利用できる。加熱手段１６としは、温水を用いた熱交換器などでもよい。
【００４１】
循環風路２４内であって、循環ファンモータ２０とヒータ１６との間の空間内にはイオン発生装置（イオン発生手段）１００が配される。図３の例では、循環ファンモータ２０に近接した位置であって、ヒータ１６の手前側に位置する循環ファンケース２１の頂面に、その電極（放電極）が循環風路２４内に臨むような形でイオン発生装置１００が取り付け固定される。放電極がイオン放出面となる。イオン発生装置１００を稼働すると、このイオン発生装置１００で発生した正イオンと負イオンが、循環ファンモータ２０からの循環風に乗って吹出口２３から浴室内に送り出される。
【００４２】
イオン発生装置１００の取り付け位置は、循環風路２４内であればヒータ１６の前方位置であってもよいし、循環ファンケース２１の底面側でもよい。循環ファンケース２１の底面側にイオン発生装置１００を取り付け固定する場合には、
その底面側より浴室内にイオン発生操作手段１００の本体が突出した状態で取り付けられることとなるが、この底面側は図１に示すフロントパネル５によってカバーされるため、特に問題はない。
【００４３】
イオン発生装置１００は正イオンと負イオンの両方あるいは負イオンを発生する。正イオンと負イオンの発生原理を簡単に説明する。誘電体を介して対向させた一対の電極間に、家庭用交流電源などからの交流電圧を昇圧して印加すると、コロナ放電を起こす。コロナ放電によって空気中の酸素ないしは水分が電離する。この電離する際にエネルギーを受けて空気中の酸素や水分がイオン化し、Ｈ+（Ｈ2Ｏ）m（ｍは任意の自然数）と、Ｏ2-（Ｈ2Ｏ）n（ｎは任意の自然数）を主体とするイオンを放出する。
【００４４】
これらイオンＨ+（Ｈ2Ｏ）mおよびＯ2-（Ｈ2Ｏ）nは、浮遊菌の表面に付着することで化学反応を起こし、活性種であるＨ2Ｏ2又は・ＯＨを生成する。ここに、・ＯＨは活性種の一種であり、ラジカルのＯＨを示す。Ｈ2Ｏ2又は・ＯＨは、極めて強力な活性を示すため、この活性種によって空気中の浮遊菌を取り込んで除去することができる。
【００４５】
このようにして生成されたほぼ同数の正イオンと負イオンを含んだ空気を、浴室３２内に送風すれば、循環する空気に含まれる浮遊菌や、浴室３２内の浮遊菌を除去して、カビなどの発生を抑制することができることになる。
【００４６】
さて、図４に示すように換気用吸込部Ｂ７ｂは、上面および下面が開放した筒状体であって、吹出部１７の側部に位置する。換気用吸込部Ｂ７ｂの下面の開放部は、換気用吸込口２５を形成する。循環ユニット４が本体ケース２および換気ユニット３に装着された状態では、循環ユニット４の換気用吸込部Ｂ７ｂの上面と、前述した換気ユニット３の換気用吸込部Ａ７ａの下面が接続されて一体となる。これにより、上述したように循環ユニット４の換気用吸込部Ａ７ａと換気ユニット３の換気用吸込部Ｂ７ｂとで換気用吸込部７が形成され、そしてその内部が換気用吸込風路１３となる。
【００４７】
図４に示すように換気用吸込部Ｂ７ｂの換気用吸込口２５の近傍には、シャッタ２６が回動自在に設けられている。シャッタ２６のシャッタ軸２７には、図示しないが駆動ギアなどを介してシャッタ用の駆動モータ（図示しない）が連結されている。駆動モータは本体ケース２の電動室内に取り付け固定される。駆動モータとしてはステッピングモータが使用されている。シャッタ駆動モータを駆動することで、シャッタ２６が回動し、シャッタ２６の回動によって換気用吸込口２５の開閉とその開閉度（開口度）を調整できる。
【００４８】
運転モードの一態様として、換気用吸込口２５を開放した状態で換気ファン９を駆動する態様を考える。この運転モードでは浴室空調装置１の内部と外部にそれぞれ空気流が生じる。つまり換気ファン９によって、換気用吸込風路１３を通じて換気用吸込口２５から浴室空調装置１の外部空気を吸込む。さらに他室排気風路１２を通じて他室排気吸込口２ｃから他室空気を吸込む。換気ファン９はこれら吸込んだ空気を、排気風路１２を通じて排気口２ｂから浴室空調装置１の外部に吹出す（排気する）。
【００４９】
また、運転モードの他の態様として循環ファン１９およびヒータ１６を動作させた場合には、浴室空調装置１の内部と外部にそれぞれ空気流が生じる。循環ファン１９が駆動されると、この循環ファン１９によって循環用吸込口２２から浴室空調装置１の外部空気を吸込む。そして吸込んだ空気を、循環風路２４を通じて吹出口２３から浴室空調装置１の外部に吹出す（排気する）。ヒータ１６によって循環ユニット４の外部に吹出される空気が循環風路２４の途中で温められる。さらに詳細な運転モードについては後述する。
【００５０】
なお、図２から図４のように浴室空調装置１を構成した場合には、金属製の本体ケース２に換気ユニット３および循環ユニット４を直接取り付ける構造であるため、浴室空調装置１を構成する各コンポーネントを取り付けるための空間を大きく取ることができる。
【００５１】
そのため、大口径のファンユニットを使用できるようになるから、より低速のファン回転数で同じ風量の吸込みおよび吹出しの空気の風量を得ることが可能になる。これによってファンの静音化や小型化を実現できる。
【００５２】
本体ケース２および換気ユニット３に対して、循環ユニット４が着脱自在に構成されているため、循環ユニット４および換気ユニット３等のメンテナンス性が向上するなどの特徴をがある。
【００５３】
図１に示すように、洗面所３１の壁面の所定位置には、浴室空調装置１を制御するためのリモコン装置用リモコンパネル（操作部として機能する操作パネル）４２が取り付けられている。リモコン装置５０は図１２に示すように制御部４１を有する。
【００５４】
図５はリモコンパネル４２の一例を示す構成図である。リモコンパネル４２はＬＣＤなどを使用した表示部４２ａと、各種操作ボタン等を備える。操作ボタンは運転モードを選択するためのボタン類であって、この例では、暖房運転モードを選択する暖房モードボタン４２ｂ、涼風運転モードを選択する涼風モードボタン４２ｃ、換気運転モードを選択する換気モードボタン４２ｄ、乾燥運転モードを選択する乾燥モードボタン４２ｅを備える。
【００５５】
さらに前述した正イオンおよび負イオンを発生させるイオン発生モードボタン（除菌モードボタン）４２ｆおよび２４時間換気モードを選択するための２４時間換気モードボタン４２ｇを備える。除菌モード運転を行うに際しては、除菌モードボタン４２ｆが押されてから各種モードボタン４２ｂ〜４２ｅを選択して押してから、除菌モードボタン４２ｆを押すようにしてもよい。
【００５６】
リモコンパネル４２には、選択した運転モードを操作者が確認できるように、例えば各モードボタン４２ｂ〜４２ｇに隣接して表示灯（ランプやＬＥＤなどの表示部）５２ｂ〜５２ｇが設けられる。選択された運転モードのモードボタンに対応する表示灯５２ｂ〜５２ｇが点灯（このうち表示灯５２ｆは点滅と点灯）する。リモコンパネル４２にはさらにそれぞれの運転モードに対する稼働時間を設定するためのタイマ時間設定ボタン５３が設けられている。この例ではアップダウンボタンで設定ボタン５３が構成される。設定時間は表示部４２ａに表示される。この例では３０分単位でタイマ時間を設定できるが、これは任意である。設定時間の上限を予め定めておくこともできる。
【００５７】
図６以下は選択した運転モードによって動作する浴室空調装置１の具体例である。
【００５８】
（１）換気運転モード
図６および図７は換気運転モード時の浴室空調装置１の動作状態を示す。換気モードボタン４２ｄが押されたことを制御部４１（後述する）で検出すると、換気運転モードを実行する。
【００５９】
換気運転モードでは換気ファンモータ１０により換気ファン９が駆動されると共に、シャッタ２６が回動して換気用吸込部７の換気用吸込口２５が開放される。循環ファン１９は停止制御となる。換気用吸込口２５が開放されることで、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００６０】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、さらに排気ダクト３７を通って排気グリル３８から屋外へ排気される。浴室３２内の空気を屋外に排気することで、浴室ドア４０に設けた空気取入口４０ａや他の居室のドアに設けたアンダーカット等から、洗面所３１等やその他居室の空気が吸込まれる。
【００６１】
換気運転モードを実行することで、浴室３２内の湯気や湿気を排気して結露等を抑制し、カビの発生を抑えることができる。
【００６２】
換気運転モードには、上述した通常の換気運転モードの他に、２４時間換気運転モードなどがある。２４時間換気運転モードにおいては、住宅全体又は住宅の所定エリアの容積について所定の換気回数（例えば０．５回／時間）を満たすように換気ファン９が動作して住宅内の換気が行われる。
【００６３】
２４時間換気運転モードは、通常は連続運転されるが、断続運転によって所定の換気回数を実現することもできる。２４時間換気運転モードは、図５に示すリモコンパネル４２のボタン４２ｈを操作することで実行される。２４時間換気運転モードの動作時は、上述した通常の換気運転モードの動作時と同様に、換気ファンモータ１０により換気ファン９が駆動される。さらにシャッタ用モータ３０によりシャッタ２６が回動され、換気用吸込部７の換気用吸込口２５が開放される。
【００６４】
換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００６５】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、さらに排気ダクト３７を通って排気グリル３８から屋外へ排気される。
【００６６】
２４時間換気運転モードが実行されている状態で、換気モードボタン４２ｄが選択された際は、次に示すような方法により、住宅全体で換気される空気が所定の量に保たれる。２４時間換気運転モードが実行されている状態で、換気モードボタン４２ｄが選択されると、換気用吸込口２５のシャッタ２６の開度が広げられ浴室３２内から吸込まれる空気の量が増やされる。これにより他室排気吸込口２ｃを介して吸込まれる他室の空気の量は少なくなり、住宅全体で換気される空気は所定の量に保たれる。
【００６７】
また、他室排気吸込口２ｃが複数備えられているような場合は、他室排気ダクト接続部３３に電動式のシャッタを設け、このシャッタの開度を狭くすることにより洗面所３１等の他室から吸込まれる空気の量を少なくし、住宅全体で換気される空気が所定の量に保たれるようにしてもよい。
【００６８】
洗面所３１等の他室の照明スイッチ等を他室換気スイッチとして用いて、住宅全体で換気される空気が所定の量に保たれるようにしてもよい。他室換気スイッチが選択された際は、換気用吸込口２５のシャッタ２６の開度を狭くし、浴室３２内から吸込まれる空気の量を少なくして、洗面所３１等の他室の空気の吸込み量が増やされる。この結果、住宅全体などの所定のエリア内で換気量がほぼ一定に保たれる。
【００６９】
なお、換気ファン９の換気ファン吸込口９ａが上面に配置されているので、２４時間換気運転モードにより常時換気運転を行っても、ファンの運転音（騒音）が、浴室３２内および浴室３２を通じて洗面所３１等に漏れることを防ぐことができる。
【００７０】
（２）暖房運転モード
図８および図９は暖房運転モード時の浴室空調装置１の動作状態を示す。暖房モードボタン４２ｂが押されると、暖房運転モードを実行する。暖房運転モードでは、シャッタ２６が回動されて、換気用吸込部７の換気用吸込口２５が閉塞される。換気ファン９の回転は停止される。また暖房運転モードでは、循環ファンモータ２０により循環ファン１９が駆動される。さらに暖房運転モードではヒータ１６が通電される。
【００７１】
循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。ヒータ１６は循環風路２４に配置されているので、ヒータ１６が通電され加熱された状態では、循環風路２４を通る空気が暖められて吹出口２３から吹出す。これにより、暖房運転モードを実行することができ、浴室３２内の空気を循環させながら浴室３２内を暖房して、室温を上げることができる。
【００７２】
上述では換気ファン９の回転は停止されるとした。しかし、洗面所３１等の他室から吸込んだ空気を排気するために、暖房運転モード時に、換気用吸込部７の換気用吸込口２５を閉塞した状態で換気ファン９を回転させるようにしてもよい。換気用吸込部７の換気用吸込口２５を閉塞することにより、浴室３２内の暖められた空気が浴室３２の外に逃げることを防ぐことができる。
【００７３】
（３）乾燥運転モード
図１０および図１１は乾燥運転モード時の浴室空調装置１の動作状態を示す。
乾燥モードボタン４２ｅが押されると、乾燥運転モードを実行する。乾燥運転モードでは、換気ファンモータ１０により換気ファン９が駆動される。さらにシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００７４】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、排気ダクト３７を通って排気グリル３８から屋外へ排気される。浴室３２内の空気を屋外に排気することで、浴室ドア４０に設けた空気取入口４０ａから、洗面所３１等の空気が吸込まれる。
【００７５】
この乾燥運転モードでは、循環ファンモータ２０により循環ファン１９が駆動され、ヒータ１６が通電される。循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。ヒータ１６は循環風路２４に配置されるので、ヒータ１６が通電され加熱された状態では、循環風路２４を通る空気が暖められて吹出口２３から吹出す。
【００７６】
これにより、乾燥運転モードを実行することで、浴室３２内に温風を吹出して、ランドリパイプ３９に掛けられた洗濯物を乾燥させることができる。浴室３２内の空気の一部は屋外に排気され、空気取入口４０ａから洗面所３１等の空気を取り込むことで、浴室３２内の換気が行われるので、湿気等を排出して、洗濯物の乾燥を促進することができる。
【００７７】
（４）涼風運転モード
涼風運転モードを再び図１０および図１１を参照して説明する。涼風モードボタン４２ｃが押されると、涼風運転モードを実行する。涼風運転モードでは、換気ファンモータ１０により換気ファン９が駆動され、そしてシャッタ２６が回動されて換気用吸込部７の換気用吸込口２５が開放される。
【００７８】
換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、そして排気ダクト３７を通って排気グリル３８から屋外へ排気される。浴室３２内の空気を屋外に排気することで、浴室ドア４０に設けた空気取入口４０ａから、洗面所３１等の空気が吸込まれる。
【００７９】
循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。
【００８０】
このように涼風運転モードでは、浴室３２内の湿度の高い空気を排気し、浴室３２内の空気を循環させながら、浴室３２内の温度に応じた涼風が吹出され、浴室空調装置１を夏場等に扇風機として使用することができる。換気ファン９の回転を停止させ、換気用吸込口２５を閉塞させてもよい。
【００８１】
なお、換気ファン９の換気ファン吸込口９ａが上面に配置されているので、浴室３２および他室内の空気を取り込む際のファンの運転音が、浴室３２内に大きく漏れることを防ぐことができる。これにより、浴室３２内に漏れる浴室空調装置１の運転音が低減する。
【００８２】
（５）除菌モード
上述した各種運転モードとは別個独立してイオン発生の運転モード（除菌モード）が存在する。この運転モードが選択されると、基本的にはイオン発生装置１００が稼働して浴室３２内に正イオンと負イオンが放出される。これらのイオンが浴室３２内に放出されると、浮遊菌が除去されて、浴室32の壁や天井へのカビの発生を抑制することができる。
【００８３】
イオン発生の運転モード（除菌モード）と上述した運転モードとを併用する場合には、特定の運転モード、特定の条件の下ではイオン発生モードが解除又は一時的に禁止される。イオン発生モードが解除されるのは暖房モードであり、一時的に禁止されるのは乾燥モードである。これら併用運転モードについての詳細は後述する。
【００８４】
上述したような各種運転モードを実現するため、この浴室空調装置１には図１２に示すようなリモコン装置５０に関連した制御系が設けられている。制御系の一例を図１２の要部系統図を参照して説明すると、装置全体の制御を司るＣＰＵ（Central Processing Unit）やメモリ等で構成される制御部４１には、上述したように換気ファン９を駆動する換気ファンモータ１０、循環ファン１９を駆動する循環ファンモータ２０、シャッタ２６を駆動するシャッタ用モータ３０、ヒータ１６、リモコン装置５０の操作系を構成するリモコンパネル（操作部）４２、さらにはイオン発生装置１００等が接続される。
【００８５】
リモコン装置５０の主体として機能する制御部４１は、ＲＯＭなどのメモリ手段（図示はしない）に格納された処理プログラムを起動することによって、暖房運転モード、換気運転モード、涼風運転モード、乾燥運転モードおよびイオン発生モード（除菌モード）などの各種の運転モードを、リモコンパネル４２の操作状態（ボタン操作に基づくオンオフ信号）を監視しながら実行する。
【００８６】
この例では、温度センサ５１と湿度センサ５２からの各センサ出力も制御部４１に集められ、室温と湿度が表示部４２ａに表示できるようになされている。
【００８７】
さて、次に、上述したイオン発生モードとその他の運転モードを同時に選択したときの処理例を図１３以下を参照して説明する。以下の説明では、イオン発生モードを除菌モードとして、表示灯をＬＥＤとしてそれぞれ説明する。また、この処理例では、除菌モードのみの運転モードは採用されていない。つまり、除菌モードは他の運転モードが選択されたとき始めて稼働状態に遷移できるような処理系となっている。
【００８８】
図１３は運転モード全体の処理例を、除菌モードを中心にして整理したときのフローチャートである。まず、リモコンパネル４２上の操作ボタンが監視され、除菌モードボタン４２ｆが押されたときは除菌モード用のＬＥＤ５２ｆを点滅させると共に、次に操作される操作ボタンを監視する（ステップ１１１、１１２）。操作されたボタンが換気モードボタン４２dであるときは換気モード用のＬＥＤ５２ｄを点灯させると共に、除菌モード用ＬＥＤ５２ｆを点灯状態に切り替える（ステップ１１３，１１４，１１５）。除菌モード用ＬＥＤ５２ｆの表示状態を点滅より点灯状態に制御することで、他の運転モードが選択されたことを視覚的に確認できる。
【００８９】
ＬＥＤの点灯制御の後に除菌・循環換気処理モードに遷移する（ステップ１１４，１１５，１３０）。除菌・循環換気処理モードは、この例ではサブルーチン構成である。
【００９０】
この例では、換気モードが選択された場合でも、運転モードとしては除菌・換気処理モードが選択されるのではなく、除菌・循環換気処理モード（ステップ１３０）が選択される。換気モードは上述したように浴室３２内の空気を屋外に排気するモードであるから、特にヒータ１６などの加熱手段を使用する運転モードとは異なるが、浴室３２内の空気が排気されることから、浴室３２内に正イオンおよび負イオンを放出しても浴室３２内に充分供給されない。一方、循環換気モードは上述したように涼風モードと同一の動作であって、このモードは循環風を浴室３２内に送風して循環させると共に、その一部の循環風を屋外に排気するモードであるから、特にヒータ１６などの加熱手段を使用する運転モードではない。したがって、この換気ボタン４２ｄが操作されたときには、先に選択した除菌モードとの併用運転が可能になる。
【００９１】
そのため、換気モードボタン４２ｄが操作されたときは、換気モード用ＬＥＤ５２ｄは点灯させるものの、運転モードとしては除菌・循環換気モード(涼風運転モードと同一の動作)に遷移させることとする。
【００９２】
そのため、換気ボタン４２ｄが操作されたときには、除菌・循環換気処理モードに遷移する。この除菌・循環換気処理ルーチンがコールされると、図１４に示すようにまず除菌モードの稼働時間がセットされる（ステップ１３１）。併用運転であるため除菌モードの稼働時間がそのまま循環換気モードの稼働時間となる。稼働時間がセットされると次に前述した正イオンおよび負イオンを発生させる除菌モード用のイオン発生装置１００が稼働するように制御される（ステップ１３２）。同時に循環換気モードが動作状態となる（ステップ１３４）。これによって、セットされた稼働時間が到来するまでの間、循環風が浴室３２内に吹出されると共に、イオン発生装置１００で発生させた正イオンと負イオンが浴室３２内に放出されて、浮遊菌の除去がなされる（ステップ１３５，１３２，１３４）。
【００９３】
セットされた稼働時間が到来すると、除菌モード用イオン発生装置１００の稼働と、循環換気モードの稼働がそれぞれ停止状態に制御される（ステップ１３６，１３７）。その後、除菌モード用ＬＥＤ５２ｆと換気モード用ＬＥＤ５２ｄのそれぞれが消灯状態に制御されてから（ステップ１３８）、メインルーチンにリターンする。このように、除菌・循環換気処理モードでは、何れの表示用ＬＥＤ５２ｆ、５２ｃも点灯状態に制御されることから、除菌モードが稼働し、そして同時に循環換気モードが稼働していることが容易に把握できる。
【００９４】
図１３に戻って、換気モードボタン４２ｄの代わりに涼風モードボタン４２ｃが操作されたときには、涼風モード用のＬＥＤ５２ｃは点灯制御され、そして除菌モード用ＬＥＤ５２ｆは点滅状態から消灯状態に表示制御された後（ステップ１１６，１１７，１１８）、涼風処理(ステップ１４０)に遷移する。
【００９５】
図１３において、操作されたボタンが涼風モードボタン４２ｃでもなく、換気ボタン４２ｄでもなく、暖房モードボタン４２ｂであるときには（ステップ１１９）、まず暖房モード用ＬＥＤ５２ｂを点灯させると共に、除菌モード用ＬＥＤを消灯状態に制御する（ステップ１２０，１２１）。
【００９６】
これは、上述したように暖房モードではヒータが使用されるため、イオン発生をさせても、カビの抑制等の除菌モードによる効果が期待できないため、暖房モードが選択されたときには、除菌モードが強制的に解除されたことをＬＥＤ５２ｆの消灯で告知するようにしたものである。
【００９７】
除菌モード用ＬＥＤ５２ｆを消灯してから、暖房処理に遷移する（ステップ１５０）。暖房処理もサブルーチン構成であって、図１５に示すようにこの場合にはまず暖房モードの稼働時間がセットされ（ステップ１５１）、その後暖房モードを稼働させる（ステップ１５２）。暖房モードの場合にはヒータ１６への通電処理と、循環換気ファン２１に対する駆動処理が行われる。これによって温風が浴室３２内に吹出される。
【００９８】
設定された稼働時間が経過すると、暖房モードの運転を停止すると共に、暖房モード用ＬＥＤ５２ｂの消灯処理が行われて、メインルーチンに戻る（ステップ１５３，１５４，１５５）。
【００９９】
再び図１３に戻って説明する。操作されたボタンが乾燥モードボタン４２ｅであるときには（ステップ１２２）、乾燥モード用ＬＥＤ１２３が点灯して、除菌・乾燥処理モードに遷移する（ステップ１２３，１６０）。
【０１００】
乾燥モードでは、ヒータが使用されて温風が浴室３２内に送り出され、そして循環するようになっているため、乾燥モード期間中は除菌モードが禁止され、乾燥モード終了後に除菌モードの禁止状態が解除される。そのため、除菌モード用ＬＥＤ５２ｆは点滅状態を継続させることで、除菌処理除菌モードが待機中であることが判るようになっている。
【０１０１】
図１６は除菌・乾燥処理例を示す。まず、除菌モード運転時間と乾燥時間がそれぞれセットされる（ステップ１６１）。これら稼働時間のセットが終了すると、乾燥モードの運転が開始される（ステップ１６２）。セットされた稼働時間が終了すると、乾燥モード用ＬＥＤ５２ｅを消灯する（ステップ１６３，１６２，１６４）。
【０１０２】
これと同時に、除菌モード用ＬＥＤ５２ｆを点灯状態に切り替えて、除菌・涼風モードの運転を開始する（ステップ１６５，１６６）。これで、乾燥モードが終了したこと、乾燥モードの後に除菌・循環換気モードがスタートしたことをそれぞれ確認できる。除菌・循環換気モードでは、イオン発生装置１００が駆動される。これと同時に涼風モードと同一の動作である循環換気モードが選択されて、循環風が浴室３２内に送り出される。循環風に乗って浴室３２内に正イオンと負イオンが放出されるため浮遊菌の除去によるカビ発生等の抑制が行われる。循環風の一部は屋外に排気される。
【０１０３】
次に、セットした除菌モード運転時間が経過すると、除菌・循環換気モードの運転が停止し、この運転停止と共に、除菌モード用ＬＥＤ５２ｆを消灯してから、メインルーチンにリターンする（ステップ１６７，１６８，１６９）。
【０１０４】
この例では、乾燥モードが終了すると、除菌・循環換気モードに遷移するため、乾燥モードが終了した段階で、乾燥モード用ＬＥＤ５２ｅを消灯したが、涼風モード用ＬＥＤ５２ｃを点灯させてもよい。実際の運転モードは循環換気モードによる循環風の送り出しであるからである。
【０１０５】
乾燥モードと除菌・循環換気モードとの運転態様は種々考えられる。図１８に示す乾燥モードと除菌・循環換気モードとの関係は、上述した説明と同じであって、所定時間Ｔａだけ乾燥運転モードで、その直後より所定時間Ｔｂだけ除菌・涼風モードととして運転される（図１８Ａ，Ｂ）。
【０１０６】
これに対して、図１９の場合は、同図Ａ，Ｂに示すように乾燥モードが終了した時点から所定の時間ΔＴ経過後に除菌・循環換気モードをスタートさせる。乾燥モードの後に多少の冷却期間ΔＴを置き、浴室３２内の温度を多少下げてから除菌・循環換気モードをスタートさせる場合である。
【０１０７】
図２０の例は、図１９の場合よりも積極的に冷却処理を行う例であって、冷却モードとしては換気モードなどが考えられる。冷却期間Ｔｃが経過してから除菌・涼風モードがスタートする（図２０Ａ、Ｂ、Ｃ）。
【０１０８】
図２１は、図１８の変形例であって、乾燥モードと除菌・循環換気モードを数回にわたり繰り返す例である。図２１Ａ，Ｂの例は２回繰り返して運転モードを終了させている。
【０１０９】
さて、図１３において、除菌モードボタン４２ｆが押されたにも拘わらず、その他の運転モードを選択する操作ボタンの何れも操作されなく（ステップ１１１，１１３，１１６，１１９，１２２）、しかも所定の時間（５〜１０秒）が経過したときは除菌モードを強制解除すべく、除菌モード用ＬＥＤ５２ｆを消灯して、ボタン操作の無効を知らせる（ステップ１２５，１２６）。除菌モード単独の運転モードは用意されていないからである。
【０１１０】
図１３の処理例では、換気モードボタン４２ｄが操作されたときは、換気モードボタン４２ｄの操作であっても、除菌・循環換気処理モード１３０に遷移させているが、除菌・換気処理モードとすることもできる。間違って操作したような操作者の誤解を回避するために有効であると考えられるし、積極的な効果も期待できるからである。
【０１１１】
換気ボタン４２ｄが操作されると、除菌モード用ＬＥＤ５２ｆを点灯状態に切り替えたのち、除菌・換気処理モード（図１７参照）に遷移する。この場合においても、図１４の場合と同様に、まず除菌モードの稼働時間がセットされる（ステップ１４１）。併用運転であるため除菌モードの稼働時間がそのまま換気モードの稼働時間となる。
【０１１２】
稼働時間がセットされると次に前述した正イオンおよび負イオンを発生させる除菌モード用のイオン発生装置１００が稼働状態に制御される（ステップ１４２）。同時に換気モードが動作状態となる（ステップ１４４）。これによって、セットされた稼働時間が到来するまでの間、浴室３２内の換気処理が行われると共に、イオン発生装置１００で発生させた正イオンと負イオンが浴室３２内に放出される（ステップ１４５，１４２，１４４）。
【０１１３】
セットされた稼働時間が到来すると、前述のイオン発生装置１００の稼働と、換気モードの稼働がそれぞれ停止状態に制御される（ステップ１４６，１４７）。その後、除菌モード用ＬＥＤ５２ｆと換気モード用ＬＥＤ５２ｄのそれぞれが消灯状態に制御されてから（ステップ１４８）、メインルーチンにリターンする。このように、除菌・換気処理モードでは、何れの表示用ＬＥＤ５２ｆ、５２ｄも点灯状態に制御されることから、除菌モードが稼働し、そして同時に換気モードが稼働していることが容易に把握できる。
【０１１４】
また、浴室３２内に放出した正負イオンの一部は、換気用吸込口５ｃ、２５から排気通路１２内に吸込まれるので、換気用吸込口５ｃ、２５や、排気通路１２を構成する換気ファンケース11などの浮遊菌を除去して積極的にカビの発生を抑制できるので、換気ユニット3内の衛生状態を維持できる。
【０１１５】
上述した実施例では、各運転モードを選択するための操作ボタンを操作したときには対応する表示灯が点灯するか点滅するように制御したが、これらの処理と共に、音声メッセージを行ってもよい。例えば、除菌モード用ボタン４２ｆが押されたときは、「除菌モードが選択されました。」と言うようなメッセージを起動することもできる。したがって、除菌モード用ボタン４２ｆが操作されたにも拘わらず、他の運転モード選択のための操作ボタンが操作されなかったときには、「除菌モードが解除されました。」と言うようなメッセージを流すことで、正しい操作を促すことができる。
【０１１６】
上述した実施例では、この発明に係る空調装置を浴室空調装置に適用した場合であるが、その他の部屋に設置して使用される空調装置にもこの発明を適用できる。
【産業上の利用可能性】
【０１１７】
本発明は、浴室空調装置などに適用できる。
【図面の簡単な説明】
【０１１８】
【図１】この発明に係る空調装置を浴室空調装置として使用したときの設置例を示す図である。
【図２】この発明を適用した浴室空調装置の分解斜視図である。
【図３】この発明を適用した浴室空調装置のＡ−Ａ断面図である。
【図４】この発明を適用した浴室空調装置のＢ−Ｂ断面図である。
【図５】浴室空調装置に使用される操作部の一例を示す平面図である。
【図６】換気運転モード時の浴室空調装置の状態を示す説明図である（その１）。
【図７】換気房運転モード時の浴室空調装置の状態を示す説明図である（その２）。
【図８】暖房運転モード時の浴室空調装置の状態を示す説明図である（その１）。
【図９】暖房運転モード時の浴室空調装置の状態を示す説明図である（その２）。
【図１０】乾燥運転モード時の浴室空調装置の状態を示す説明図である（その１）。
【図１１】乾燥運転モード時の浴室空調装置の状態を示す説明図である（その２）。
【図１２】この発明を適用した浴室空調装置の制御系の一例を示す要部構成図である。
【図１３】除菌モードを中心に整理した運転モードの制御処理例を示すフローチャートである。
【図１４】除菌モードを選択したときの除菌・循環換気処理例を示すフローチャートである。
【図１５】除菌モードを選択したときの除菌・暖房処理例を示すフローチャートである。
【図１６】除菌モードを選択したときの除菌・乾燥処理例を示すフローチャートである。
【図１７】除菌モードを選択したときの除菌・換気処理例を示すフローチャートである。
【図１８】除菌モードと乾燥モードとの処理タイミングの関係を示す図である（その１）。
【図１９】除菌モードと乾燥モードとの処理タイミングの関係を示す図である（その２）。
【図２０】除菌モードと乾燥モードとの処理タイミングの関係を示す図である（その３）。
【図２１】除菌モードと乾燥モードとの処理タイミングの関係を示す図である（その４）。
【符号の説明】
【０１１９】
１・・・浴室空調装置
２・・・本体ケース
２ｂ・・・排気口
３・・・換気ユニット
４・・・循環ユニット
９・・・換気ファン
３２・・・浴室
５０・・・リモコン装置
４１・・・制御部
４２・・・リモコンパネル
４２ａ・・・表示部
４２ｂ，４２ｃ，４２ｄ，４２ｅ、４２ｇ・・・運転モード選択用操作ボタン
５２ｂ，５２ｃ，５２ｄ，５２ｅ、５２ｇ・・・表示灯（ＬＥＤ）
４２ｆ・・・除菌モード用ボタン
５２ｆ・・・除菌モード用表示灯（ＬＥＤ）
【図１】
2007101164.tif 000003
【図２】
2007101164.tif 000004
【図３】
2007101164.tif 000005
【図４】
2007101164.tif 000006
【図５】
2007101164.tif 000007
【図６】
2007101164.tif 000008
【図７】
2007101164.tif 000009
【図８】
2007101164.tif 000010
【図９】
2007101164.tif 000011
【図１０】
2007101164.tif 000012
【図１１】
2007101164.tif 000013
【図１２】
2007101164.tif 000014
【図１３】
2007101164.tif 000015
【図１４】
2007101164.tif 000016
【図１５】
2007101164.tif 000017
【図１６】
2007101164.tif 000018
【図１７】
2007101164.tif 000019
【図１８】
2007101164.tif 000020
【図１９】
2007101164.tif 000021
【図２０】
2007101164.tif 000022
【図２１】
2007101164.tif 000023